(57)【要約】【課題】１台で機能が異なるカードを取り扱うのに、センタ側の負荷を軽減し、かつその際に利用者の意図に応じて接続先を適宜切り替え可能にする。【解決手段】接続先の決済サーバ３ａ〜３ｎ，５ａ〜５ｎにネットワーク（決済ネットワーク１）経由で接続される決済端末装置６であって、有線又は無線接続されるカード読取り部６４がカードからカードブランド情報を読み取り、制御部６０が、そのカードブランド情報に基づき選択される決済サーバの一つと接続し、選択された決済サーバに対応した暗号鍵情報で暗号化された暗号化情報を送信する。【選択図】図２
2014225103.tif 000002
【特許請求の範囲】
【請求項１】
複数の決済サーバにネットワーク経由で接続される決済端末装置であって、
有線又は無線によって接続されるカード読取り部と、
前記カード読取り部によって読み取られたカードのカードブランド情報に基づき選択される前記決済サーバの一つと接続し、前記選択された決済サーバに対応した暗号鍵情報で暗号化された暗号化情報を送信する制御部と、
を有することを特徴とする決済端末装置。
【請求項２】
前記カード読取り部は、暗号鍵選択情報と暗号鍵情報の組み合わせを記憶する第１の記憶部を、前記制御部は、前記暗号鍵選択情報と前記決済サーバの接続先情報の組み合わせを記憶する第２の記憶部をそれぞれ備え、
前記制御部は、
前記暗号鍵選択情報の入力を検出すると、前記カード読取り部にて前記第１の記憶部を参照して得られる前記暗号鍵情報に基づき暗号化された暗号化情報を取得し、前記取得した暗号化情報を、前記第２の記憶部を参照して得られる前記接続先情報に基づき対応する決済サーバに送信することを特徴とする請求項１記載の決済端末装置。
【請求項３】
前記カード読取り部は、暗号鍵選択情報と暗号鍵情報の組み合わせを記憶する第１の記憶部を、前記制御部は、前記暗号鍵選択情報と前記決済サーバの接続先情報の組み合わせを記憶する第２の記憶部をそれぞれ備え、
前記制御部は、
前記カード読取り部によって読み取られたカードのカードブランド情報にしたがい、前記カード読取り部にて前記第１の記憶部を参照して得られる前記暗号鍵情報に基づき暗号化された暗号化情報を取得し、前記取得した暗号化情報を、前記第２の記憶部を参照して得られる前記接続先情報に基づき対応する決済サーバに送信することを特徴とする請求項１記載の決済端末装置。
【請求項４】
前記制御部は、
暗号化されたカード情報を更に暗号化して前記決済サーバへ送信することを特徴とする請求項１〜３のいずれか１項記載の決済端末装置。
【請求項５】
前記カード読取り部は、前記第１の記憶部に所定の単位で割り当てられる暗号鍵記憶領域によって決まる暗号鍵選択情報毎に前記暗号鍵情報を記憶しており、新たな暗号鍵情報がセキュアに格納された、セキュア・アプリケーション・モジュールに準拠したＩＣカードを読み込んで前記暗号鍵記憶領域に新たな暗号鍵情報を追記すると、前記制御部は、前記新たな暗号鍵情報が追記された前記暗号鍵記憶領域の情報を得て、前記第２の記憶部に記憶されている前記暗号鍵選択情報と前記決済サーバの接続先情報の組み合わせを更新することを特徴とする請求項１記載の決済端末装置。
【請求項６】
複数の決済サーバにネットワーク経由で接続される、少なくとも、カード読取り部と、制御部とを有する決済端末装置における接続先切替え方法であって、
前記カード読取り部が、
カードからカードブランド情報を読み取るステップと、
前記制御部が、
前記読み取ったカードブランド情報に基づき選択される前記決済サーバの一つと接続し、前記選択された決済サーバに対応した暗号鍵情報で暗号化された暗号化情報を送信するステップと、
を有することを特徴とする決済端末装置における接続先切替え方法。
【請求項７】
コンピュータにより実行され、複数の決済サーバにネットワーク経由で接続される決済端末装置に使用されるプログラムであって、
前記コンピュータに、
カードからカードブランド情報を読み取る処理と、
前記読み取ったカードブランド情報に基づき選択される前記決済サーバの一つと接続し、前記選択された決済サーバに対応した暗号鍵情報で暗号化された暗号化情報を送信する処理と、
を実行させるプログラム。
【発明の詳細な説明】
【技術分野】
【０００１】
本発明は、接続先の決済サーバにネットワーク経由で接続される決済端末装置、および同装置における接続先切替え方法、ならびにプログラムに関するものである。
【背景技術】
【０００２】
近年、情報通信技術の発展に伴いインターネット等の通信網を用い、ネットワーク上での商品販売やサービス提供等が行われるようになった。このネットワーク上での商取引における決済として、クレジットカード決済、デビットカード決済等がある、勿論、従来からある、銀行振込、郵便振替、商品代金引換、口座引き落としでも可能である。
【０００３】
クレジットカードは、キャッシュレスでの商品購入機能と所定期間経過後に決済される信用販売機能とを有している。クレジットカードには、各クレジット会社（以下、カード会社という）と加盟店契約を締結した店舗でのみ使用できる専用カードと、複数のカード会社と提携することにより、上記の店舗に加えて提携したカード会社と加盟店契約を締結した店舗でも使用できる提携カードと、がある。商品購入時にこれらクレジットカードを店舗に提示し、必要に応じて署名することで、商品やサービス購入時から所定期日まで代金決済が猶予される。クレジットカードを提示された店舗側では、例えば、ＮＴＴデータ社のＣＡＦＩＳ（Credit  And  Finance  Information  System）を経由してクレジット会社のシステムに接続して当該クレジットカードの与信確認をオンライン通信等で依頼する。そして、これを受けたカード会社が与信確認の結果を店舗側に通知するようになっている。これにより、店舗側の与信リスクが回避できるようになっている。
【０００４】
デビットカードは、銀行預金や郵便貯金を引き出す際に使用するキャッシュカードに商品等の購入機能が付加されたものである。デビットカードを取扱う加盟金融機関と、加盟店舗内の枠において使用できる。商品購入時に加盟店の決済用端末にキャッシュカードを挿入して暗証番号を入力すると、ＣＡＦＩＳを経由して加盟金融機関に接続され、カード使用者の預金口座または貯金口座から、クリアリングセンタを介して加盟店の口座へ精算金額が振り込まれて即時決済される。
【０００５】
ところで、従来、加盟店に設置されたＣＡＴ（Credit  card  Authorization  Terminal）端末とクレジットカード専用ネットワークとの間は、クレジットカード専用ネットワークが独自に定めた通信手順により通信を行うようになっている。また、金融機関についてもＣＤ（Cash  Dispenser）やＡＴＭ（Automatic  Teller  Machine）等の端末が、金融機関が共同で設置したキャッシュカード専用ネットワークにより各金融機関のシステムに接続されており、独自の通信手順で通信を行うようになっている。預金者は、契約取引金融機関の端末で無くても、預貯金の入出金や残高照会等、キャッシュカードにより特定のサービスが受けられるようになっている。
【０００６】
このように端末と専用ネットワークとの接続は、それぞれの専用ネットワークが定めた独自の通信手順にしたがい端末側で制御する必要があり、現状、クレジットカード専用ネットワークとキャッシュカード専用ネットワークの両方に接続することができる端末は現状市場には出回っていない。これに対し、例えば、特許文献１に、一台の端末でクレジットカードやキャッシュカードのように機能が異なるカードが使用するネットワークとの接続を可能にするカード取引処理システムが提案されている。
【先行技術文献】
【特許文献】
【０００７】
【特許文献１】特開２００１−２２８６９号公報
【発明の概要】
【発明が解決しようとする課題】
【０００８】
特許文献１に開示された技術によれば、端末から受信した端末ＩＤとパスワードとをサーバが認証し、認証が成立すると、読み取ったカードの種類と取引情報とにより、受信した通信電文仕様から当該取引に使用する通信ネットワークを自動で選択する構成を有する。したがって、１台の端末でクレジットカードやキャッシュカード等、機能が異なる複数のカードを扱うことができる。しかしながら、１台の端末で複数のカードを扱うために、端末ではなくサーバ処理で実現するため、センタ側の負荷が大きく、かつ、端末側で利用者の意図に応じて接続先を適宜切り替えるといった柔軟性のある利用はできなかった。
【０００９】
本発明は上記した課題を解決するためになされたものであり、１台で機能が異なるカードを取り扱うのに、センタ側の負荷を軽減し、かつその際に利用者の意図に応じて接続先を適宜切り替え可能とする、決済端末装置、および同装置における接続先切替え方法、ならびにプログラムを提供することを目的とする。
【課題を解決するための手段】
【００１０】
上記した課題を解決するために、本発明の第１の観点に係る決済端末装置は、複数の決済サーバにネットワーク経由で接続される決済端末装置であって、有線又は無線によって接続されるカード読取り部と、前記カード読取り部によって読み取られたカードのカードブランド情報に基づき選択される前記決済サーバの一つと接続し、前記選択された決済サーバに対応した暗号鍵情報で暗号化された暗号化情報を送信する制御部と、を有することを特徴とする。
【００１１】
本発明において、前記カード読取り部は、暗号鍵選択情報と暗号鍵情報の組み合わせを記憶する第１の記憶部を、前記制御部は、前記暗号鍵選択情報と前記決済サーバの接続先情報の組み合わせを記憶する第２の記憶部をそれぞれ備え、前記制御部は、前記暗号鍵選択情報の入力を検出すると、前記カード読取り部にて前記第１の記憶部を参照して得られる前記暗号鍵情報に基づき暗号化された暗号化情報を取得し、前記取得した暗号化情報を、前記第２の記憶部を参照して得られる前記接続先情報に基づき対応する決済サーバに送信することを特徴とする。
【００１２】
本発明において、前記カード読取り部は、暗号鍵選択情報と暗号鍵情報の組み合わせを記憶する第１の記憶部を、前記制御部は、前記暗号鍵選択情報と前記決済サーバの接続先情報の組み合わせを記憶する第２の記憶部をそれぞれ備え、前記制御部は、前記カード読取り部によって読み取られたカードのカードブランド情報にしたがい、前記カード読取り部にて前記第１の記憶部を参照して得られる前記暗号鍵情報に基づき暗号化された暗号化情報を取得し、前記取得した暗号化情報を、前記第２の記憶部を参照して得られる前記接続先情報に基づき対応する決済サーバに送信することを特徴とする。
【００１３】
本発明において、前記制御部は、暗号化されたカード情報を更に暗号化して前記決済サーバへ送信することを特徴とする。
【００１４】
本発明において、前記カード読取り部は、前記第１の記憶部に所定の単位で割り当てられる暗号鍵記憶領域によって決まる暗号鍵選択情報毎に前記暗号鍵情報を記憶しており、新たな暗号鍵情報がセキュアに格納された、セキュア・アプリケーション・モジュールに準拠したＩＣカードを読み込んで前記暗号鍵記憶領域に新たな暗号鍵情報を追記すると、前記制御部は、前記新たな暗号鍵情報が追記された前記暗号鍵記憶領域の情報を得て、前記第２の記憶部に記憶されている前記暗号鍵選択情報と前記決済サーバの接続先情報の組み合わせを更新することを特徴とする。
【００１５】
本発明の第２の観点に係る決済端末装置における接続先切り替え方法は、複数の決済サーバにネットワーク経由で接続される、少なくとも、カード読取り部と、制御部とを有する決済端末装置における接続先切替え方法であって、前記カード読取り部が、カードからカードブランド情報を読み取るステップと、前記制御部が、前記読み取ったカードブランド情報に基づき選択される前記決済サーバの一つと接続し、前記選択された決済サーバに対応した暗号鍵情報で暗号化された暗号化情報を送信するステップと、を有することを特徴とする。
【００１６】
本発明の第３の観点に係るプログラムは、コンピュータにより実行され、複数の決済サーバにネットワーク経由で接続される決済端末装置に使用されるプログラムであって、前記コンピュータに、カードからカードブランド情報を読み取る処理と、前記読み取ったカードブランド情報に基づき選択される前記決済サーバの一つと接続し、前記選択された決済サーバに対応した暗号鍵情報で暗号化された暗号化情報を送信する処理と、を実行させることを特徴とする。
【発明の効果】
【００１７】
本発明によれば、１台で機能が異なるカードを取り扱うのにセンタ側の負荷を軽減しつつ、その際に利用者の意図に応じて接続先を適宜切り替え可能とする決済端末装置、および同装置における接続先切替え方法、ならびにプログラムを提供することができる。
【図面の簡単な説明】
【００１８】
【図１】本発明の実施形態に係る決済端末装置が接続される決済システムの構成を示す図である。
【図２】本発明の実施例１に係る決済端末装置の構成を示すブロック図である。
【図３】本発明の実施例１に係る決済端末装置の記憶構造の一例を示す図である。
【図４】本発明の実施例２に係る決済端末装置の構成を示すブロック図である。
【図５】本発明の実施の形態に係る決済端末装置の動作を示すフローチャートである。
【発明を実施するための形態】
【００１９】
（実施形態の構成）
以下、添付図面を参照して本発明を実施するための実施の形態（以下、単に本実施形態という）について詳細に説明する。
【００２０】
図１は、本実施形態の決済端末装置６が接続される決済処理システム１０の構成を示す図である。国内では、ＮＴＴデータが提供するＣＡＦＩＳ、日本カードネットワークが提供するＣＡＲＤＮＥＴ、ＧＰｎｅｔが提供するＧＰｎｅｔという３つの代表的な決済ネットワーク１があり、これらは、アクワイアリングネットワークとインターチェンジネットワークの双方の役割を担っている。
【００２１】
インターチェンジネットワークは、カードブランドが、例えば、ＶＩＳＡ（登録商標）の取引ではＶＩＳＡネット、ＪＣＢ（登録商標）ブランドの取引ではＣＡＲＤＮＥＴが利用される。また、海外のイシュア（クレジットカード発行会社）、アクワイアラ（国際決済ブランドやローカルブランドから加盟店を保有することが認められたカード会社や銀行）との接続が必要なクロスボーダー取引は、海外の国際決済ブランドが保有するネットークを経由して行われる。
【００２２】
決済ネットワーク１には、クレジットカード会社の専用ネットワーク２経由で複数のクレジット会社のシステム（決済サーバ３ａ，３ｂ・・・３ｎ）が、また、金融機関の専用ネットワーク４経由で複数の金融機関のシステム（決済サーバ５ａ，５ｂ，・・・５ｎ）が接続される。本実施形態に係る決済端末装置６は、加盟店毎に用意され、例えば、スマートフォンやインターネット接続環境を有するタブレット端末により構成される。決済端末装置６は、移動体通信網７経由で加盟店センタのセンタサーバ９に接続され、この加盟店サーバ８が決済ネットワーク１に接続される構成になっている。
【００２３】
なお、金融機関は、デビットカードシステムを導入した加盟店が口座を有する加盟店銀行と、当該使用者が口座を有する利用者銀行と、利用者銀行からの決済情報を集中管理するクリアリングセンタと、各利用者銀行間の決済を行う決済銀行とを含む。なお、加盟店には、決済ネットワーク１（ＣＡＦＩＳ）を介して利用者銀行に接続された決済端末装置６が設置されている。利用者銀行は、利用者の口座から当該システム用の口座に振り替えられた金額およびこの振替金の入金先（加盟店銀行）を含む振替データをクリアリングセンタのセンタサーバ９に送信する。
【００２４】
なお、センタサーバ９は、利用者銀行に限らず当該システムに参加する他の利用者銀行からも振替データを受信する。振替データを受信したセンタサーバ９は、例えば、前日に受け取った振替データを集計して、各利用者銀行間における振替データを相殺し、利用者銀行毎の決済データを計算する。そして、算出した決済データを決済銀行に送る。決済銀行は、その決済データに基づいて銀行間の決済を行う。最後に、加盟店銀行は、加盟店の口座に入金する金額から手数料を指し引いた額を加盟店口座に入金する。
【００２５】
決済端末装置６は、実施例１として図２に示すように、制御部６０と、記憶部６１と、通信部６２と、操作／表示部６３と、カード読取り部６４と、近距離無線通信部６５とが、アドレス、データ、コントロールのためのラインが複数本で構成されるシステムバス６６を介して共通接続することより構成される。
【００２６】
記憶部６１は、例えば、ＳＲＡＭ（Static  Random  Access  Memory）やＤＲＡＭ（Dynamic  Random  Access  Memory）等の半導体記憶素子、またはＨＤ（Hard  Disk）等の記憶媒体によって構成され、プログラム領域と作業領域とが割り付けられる。プログラム領域には、本実施形態に係るプログラムが、また、作業領域の一部の書換え不可領域には、後述する接続先情報テーブル（第２の記憶部６１０）が記憶されている。
【００２７】
通信部６２は、移動体通信網７、および不図示のＩＰ（Internet  Protocol）網を経由し、例えば、ＴＣＰ／ＩＰ（Transmission  Control  Protocol／Internet  Protocol）によるネットワーク接続を実現する通信インタフェースである。操作／表示部６３は、操作機能と表示機能が一体化され構成されたタッチパネルであり、操作機能はタブレットで、表示機能はＬＣＤ（Liquid  Crystal  Display）やＯＥＬ（Organic  Electroluminescence）等の表示デバイスで構成される。操作／表示部６３は、制御部６０と利用者間のインタフェースとなり、例えば、利用者によるプログラムの起動、決済情報の入力、決済処理画面の表示等を行う。
【００２８】
カード読取り部６４は、所謂、カードリーダであり、所有者のクレジットカードが装填されると、そのカード情報を読み取ってシステムバス６６経由で制御部６０へ出力する。カード読取り部６４は、例えば、スマートフォンの正面下部にカード読み取りのための溝が形成され、利用者がクレジットカードをその溝に装填してスライドさせることによって読み取りが可能なようにスマートフォン用にカスタマイズされた電気機械部品である。なお、カード読取り部６４の内部には暗号鍵情報テーブル（第１の記憶部６４０）が割り付けられ記憶されている。詳細は後述する。
【００２９】
近距離無線通信部６５は、例えば、ＢｌｕｅＴｏｏｔｈ（登録商標）の規格に準拠し、無線により接続される、同じくＢｌｕｅＴｏｏｔｈ（登録商標）対応の帳票出力専用プリンタ等との間で処理済みの決済情報を出力する。
【００３０】
制御部６０は、例えば、マイクロプロセッサで構成され、記憶部６１のプログラム領域に格納されたプログラムを読み出して実行することにより、カード読取り部６４によって読み取られたカードのカードブランド情報に基づき選択される決済サーバの一つ（３ａ〜３ｎ，５ａ〜５ｎ）と接続し、当該決済サーバに対応した暗号鍵情報で暗号化された暗号化情報を送信する。このとき、制御部６０は、クレジットカードやキャッシュカード等、カードの種類により接続先を切り替える。なお、ここで使用されるカードは、磁気カード、あるいは暗号鍵がセキュアに格納されるセキュア・アプリケーション・モジュール（ＳＡＭ）に準拠したＩＣカードである。ＳＡＭカードには、暗号鍵と暗号演算機能が内蔵されており、正規に発行されたカードであるか否かの認証フロセスを安全に行うことができるスマートカードである。
【００３１】
制御部６０は、決済サーバ３，５へ、当該決済サーバに対応した暗号鍵で暗号化されたカード情報を送信する際、その暗号化されたカード情報を更に暗号化して送信してもよい。また、制御部６０は、国コードと現在位置情報とにより接続先を切り替え、国際間取引による他国持ち込みによる他国での電子決済を禁止してもよい。
【００３２】
図３に、制御部６０とカード読取り部６４とがそれぞれ有するメモリのデータ構造の一例が示されている。ここでは、カード読取り部６４は暗号鍵情報テーブル（第１の記憶部６４０）を、制御部６０は、接続先情報テーブル（第２の記憶部６１０）をそれぞれ記憶する。なお、ここでは、第２の記憶部６１０は、記憶部６１の一部領域に割り当てて記憶するものとして説明する。
【００３３】
第１の記憶部６４０には、暗号鍵選択情報（鍵番号１，２・・・）と暗号鍵情報（暗号鍵ｅｋ＃１，＃２・・・）の組み合わせ（暗号鍵情報テーブル）が記憶されている。第１の記憶部６４０は、所定の単位で割り当てられる暗号鍵記憶領域によって決まる暗号鍵選択情報毎に暗号鍵（ｅｋ＃１，＃２・・・）が書き込まれている。この暗号鍵を新たに追記する場合は、その暗号鍵がセキュアに格納された、セキュア・アプリケーション・モジュールに準拠したＩＣカードを読み込むことにより実現される。
【００３４】
第２の記憶部６１０には、暗号鍵選択情報と決済サーバ３ａ〜３ｎ，５ａ〜５ｎの接続先情報（接続先ＵＲＬ＃１，＃２・・・）との組み合わせ（接続先情報テーブル）が記憶されている。カード読取り部６４が、セキュアＩＣカードを読み込んで第１の記憶部６４０の暗号鍵記憶領域に新たな暗号鍵情報を追記すると、制御部６０は、カード読取り部６４から新たな暗号鍵情報が追記された暗号鍵記憶領域の情報を得て、接続先情報テーブル（第２の記憶部６１０）を更新する処理を実行する。すなわち、暗号鍵選択情報と追記された暗号鍵情報に対応する決済サーバの接続先情報との組み合わせを更新する。
【００３５】
暗号鍵選択情報の生成は、ユーザにより手動で、または決済端末装置６により自動的に行なうことが可能である。すなわち、制御部６０は、暗号鍵選択情報の入力（手動）を検出すると、カード読取り部６４にて第１の記憶部６４０を参照して得られる暗号鍵情報に基づき暗号化されたカード情報（暗号化情報）を取得する。そして、取得した暗号化情報を、接続先情報テーブル（第２の記憶部６１０）を参照して得られる接続先情報に基づき対応する決済サーバ（３ａ〜３ｎ，５ａ〜５ｎ）に送信する。
【００３６】
また、自動的に暗号鍵選択情報を生成するために、制御部６０は、カード読取り部６４によって読み取られたカードのカードブランド情報にしたがい、カード読取り部６４にて暗号鍵情報テーブル（第１の記憶部６４０）を参照して得られる暗号鍵情報に基づき暗号化されたカード情報（暗号化情報）を取得する。そして、取得した暗号化情報を、接続先情報テーブル（第２の記憶部６１０）を参照して得られる接続先情報に基づき対応する決済サーバ（３ａ〜３ｎ，５ａ〜５ｎ）に送信する。このとき参照されるカードブランド情報は、カードに記録される１６桁のカード情報のうち、先頭の６桁で認識することができる。
【００３７】
決済端末装置６は、実施例２として図４に示すように、現在普及しているインターネット接続環境を有するタブレット端末で実現してもよい。この場合は、図４に示すように、タブレット端末が内蔵するＢｌｕｅＴｏｏｔｈ（登録商標）等の近距離無線通信部６５を介してリーダ（カード読取り部）／プリンタ２０が接続される。リーダ／プリンタ２０のうち、リーダは、図２のカード読取り部６４が持つ機能を実現し、プリンタは、例えば、電子決済集計表（日計）や決済の履歴を出力する。他の構成は、図２に示す実施例１と同様である。
【００３８】
（実施形態の動作）
以下、図５のフローチャートを参照して本実施形態に係る決済端末装置６の動作を説明する。ここでは、制御部６０の第２の記憶部６１０に接続先情報テーブルを予め記憶し、かつ、カード読取り部６４の第１の記憶部６４０に暗号鍵情報テーブルを予め記憶しておく、システム保守処理（ステップＳ１００）を実行しているものとして説明する。
【００３９】
カード読取り部６４は、まず、ユーザのカードが装填されたことを検出すると（ステップＳ１０１“Ｙｅｓ”）、そのカード情報を読み込む（ステップＳ１０２）。一方、制御部６０は、ユーザが操作／表示部６３を操作することによる暗号鍵選択情報の入力操作を検出すると、カード読取り部６４に対し、暗号鍵選択情報（暗号鍵選択信号）を出力する。暗号鍵選択信号を受信したカード読取り部６４は、その暗号鍵選択情報に基づき暗号鍵情報テーブル（第１の記憶部６４０）を参照し、得られる暗号鍵情報に基づき暗号化されたカード情報（暗号化情報）を制御部６０へ出力する。
【００４０】
制御部６０は、カードブランド情報にしたがい、例えば、クレジットカードによる決済であった場合（ステップ１０３“Ｙｅｓ”）、更にそのカードの種類が国際取引カードか、それ以外のカードかを判定する（ステップＳ１０４）。ここで、ＶＩＳＡ（登録商標）やＭａｓｔｅｒＣａｒｄ（登録商標）等の国際取引カードであった場合（ステップＳ１０４“Ｙｅｓ”）、接続先情報テーブル（第２の記憶部６１０）を参照し、国際取引カード用に設定されたＵＲＬ＃１が示す決済サーバ３に、カード読取り部６４で暗号化された暗号化情報を決済ネットワーク１（ここではＧＰｎｅｔ）、カード会社専用ネットワーク２経由で送信する（ステップＳ１１０）。そして、制御部６０は、続く決済情報の入力を待って（ステップＳ１１１“Ｙｅｓ”）リンクが確立された決済サーバ３との間で決済処理を行う（ステップＳ１１２）。
【００４１】
ステップＳ１０４で国際取引カードでないと判定された場合（ステップＳ１０４“Ｎｏ”）、制御部６０は、記憶部６１の接続先情報テーブル（第２の記憶部６１０）を参照し、例えば、ＪＣＢ（登録商標）用に設定されたＵＲＬ＃２が示す決済サーバ３ａに、カード読取り部６４で暗号化されたカード情報（暗号化情報）を、決済ネットワーク１（ここではＣＡＲＤＮＥＴ）、カード会社専用ネットワーク２経由で送信する（ステップＳ１１０）。そして、制御部６０は、続く決済情報の入力を待って（ステップＳ１１１“Ｙｅｓ”）リンクが確立された決済サーバ３ｂとの間で決済処理を行う（ステップＳ１１２）。
【００４２】
なお、ステップＳ１０３でクレジットカードによる決済でないと判定されると（ステップＳ１０３“Ｎｏ”）、制御部６０は、更にプリペイドカードによる決済か否かを判定する（ステップＳ１０７）。ここで、プリペイドカードによる決済であると判定されると（ステップＳ１０７“Ｙｅｓ”）、制御部６０は、記憶部６１の接続先情報テーブル６１０を参照し、例えば、ＵＲＬ＃３が示す金融機関（利用者銀行）の決済サーバ５ａに、カード読取り部６４で暗号化されたカード情報（暗号化情報）を、決済ネットワーク１（ここでは、ＣＡＦＩＳ）、金融機関専用ネットワーク４経由で送信する（ステップＳ１１０）。そして、制御部６０は、続く決済情報の入力を待って（ステップＳ１１１“Ｙｅｓ”）リンクが確立された決済サーバ５ａとの間で決済処理を行う（ステップＳ１１２）
【００４３】
なお、ステップＳ１０７でプリペイドカードでないと判定されると（ステッブＳ１０７“Ｎｏ”）、制御部６０は、ポイントカード等その他カードであると判定してポイントを管理する会社のサーバへ接続する例外処理を実行する（ステップＳ１０９）。
【００４４】
なお、フローチャートでは図示省略したが、例えば、ステップＳ１０４とＳ１０５の間に、クロスボーダー取引の有無を判定する処理を入れ、制御部６０が、国コードと現在位置情報とから接続先を切り替えたときに判定することで、他国へのカード持ち込みによる他国での電子決済を禁止することもできる。
【００４５】
（実施形態の効果）
以上説明のように本実施形態に係る決済端末装置６によれば、制御部６０は、カード読取り部６４にセットアップされたカードのカードブランド情報にしたがい、暗号鍵情報テーブル（第１の記憶部６４０）、接続先情報テーブル（第２の記憶部６１０）のそれぞれに記憶された、暗号鍵選択情報をキーとする暗号鍵情報と接続先情報から選択される決済サーバ３ａ〜３ｎ，５ａ〜５ｎの一つに接続し、その決済サーバに、カード読取り部６４で暗号化されたカード情報（暗号化情報）を送信する。このため、１台で機能が異なるカードを取り扱うのにセンタ側（カード会社や金融機関）の負荷を軽減しつつ、その際に利用者の意図に応じて接続先を適宜切り替えることができる。また、カードの属性（種類）により接続先を切替えることで、クレジットカードは勿論のこと、同じ仕組みでブリペイドカードの決済にも対応可能な決済端末装置６を提供することができる。
【００４６】
なお、上記した本実施形態に係る決済端末装置６によれば、手動で暗号鍵選択情報を生成する場合についてのみ例示したが、カード読取り部６４から暗号化情報とともに送信されるカード情報の一部を参照することにより、自動的に暗号鍵選択情報を生成することも可能である。この場合、ユーザの負担が軽減され、したがってユーザに利便性を提供することができる。また、本実施形態に係る決済端末装置６によれば、有線または無線により接続されるカード読取り部６４（第１の記憶部６４０）に新たな暗号鍵情報を追記することにより、その暗号鍵で暗号化された暗号化情報を、新たに接続される決済サーバに送信することができ、その場合、柔軟性、拡張性に富んだ決済システムを構築することができる。
【００４７】
以上、本発明の好ましい実施形態について詳述したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４８】
１…決済ネットワーク、２，４…専用ネットワーク、３（ａ〜ｎ），５（ａ〜ｎ）…決済サーバ、６…決済端末装置、７…移動体通信網、８…加盟店サーバ、９…センタサーバ、１０…決済処理システム、２０…リーダ／プリンタ、６０…制御部、６１…記憶部、６２…通信部、６３…操作／表示部、６４…カード読取り部、６５…近距離無線通信部、６６…システムバス、６１０…暗号鍵情報テーブル（第１の記憶部）、６４０接続先情報テーブル（第２の記憶部）。
【図１】
2014225103.tif 000003
【図２】
2014225103.tif 000004
【図３】
2014225103.tif 000005
【図４】
2014225103.tif 000006
【図５】
2014225103.tif 000007